【手続補正書】
【提出日】平成19年5月30日(2007.5.30)
【手続補正１】
【補正対象書類名】明細書
【補正対象項目名】特許請求の範囲
【補正方法】変更
【補正の内容】
【特許請求の範囲】
【請求項１】  互いに交差する２つの対角面に沿って夫々光学膜を備えた６面体状の光学デバイスの製造方法において、
複数枚の板状透明材を各板状透明材の端縁を結ぶ平面と板状透明材の板面との間の形成角度が４５度の傾斜角度となるように板状透明材の面方向位置を順次ずらして階段状に積層し、仮接着剤により仮接着することにより積層体を形成する積層体形成工程と、
上記積層体を、上記４５度の傾斜角度に沿った所定ピッチの複数の平行な切断面にて複数の第１の積層分割体に切断する切断工程と、
上記第１の積層分割体の切断面を研磨加工し各研磨面に夫々第１の光学膜を成膜することにより第１の積層光学部材を形成する工程と、
複数の上記第１の積層光学部材を上記第１の光学膜同士が対面し、且つ隣接し合う第１の積層光学部材内の仮接着剤面が非平行となるように方向を交互に異ならせて積層して本接着することにより第１の本接着積層構造体を形成する本接着積層工程と、
上記第１の本接着積層構造体をその面方向と直交する切断線に沿って所定のピッチで切断することにより切断光学部材を形成する第１の本接着積層構造体切断工程と、
上記切断光学部材の両切断面に研磨加工し各研磨面に夫々第２の光学膜の成膜することにより第２の積層光学部材を形成する工程と、
複数の上記第２の積層光学部材を上記第２の光学膜同士が対面し、且つ各第１の光学膜同士が整合位置関係となるように積層し本接着して第２の本接着積層構造体を形成する第２の本接着積層工程と、
上記第２の本接着積層構造体を、各第２の積層光学部材の第１及び第２の光学膜面と直交する切断面にて所定のピッチで切断することにより光学デバイス連結体を形成する最終切断工程と、
上記光学デバイス連結体内の仮接着状態を解消して個々の光学デバイスに分割する工程と、
から成ることを特徴とする光学デバイスの製造方法。 
【請求項２】  互いに交差する２つの対角面に沿って夫々光学膜を備えた６面体状の光学デバイスの製造方法において、
複数枚の板状透明材を各板状透明材の端縁を結ぶ平面と板状透明材の板面との間の形成角度が４５度の傾斜角度となるように板状透明材の面方向位置を順次ずらして階段状に積層し、仮接着剤により仮接着することにより積層体を形成する積層体形成工程と、
上記積層体を、上記４５度の傾斜角度に沿った所定ピッチの複数の平行な切断面にて複数の第１の積層分割体に切断する切断工程と、
上記第１の積層分割体の切断面を研磨加工し各研磨面に夫々第１の光学膜を成膜することにより第１の積層光学部材を形成する工程と、
複数の上記第１の積層光学部材を上記第１の光学膜同士が対面し、且つ隣接し合う第１の積層光学部材内の仮接着剤面が非平行となるように方向を交互に異ならせて積層して本接着することにより第１の本接着積層構造体を形成する本接着積層工程と、
上記第１の本接着積層構造体をその面方向と直交する切断線に沿って所定のピッチで切断することにより切断光学部材を形成する第１の本接着積層構造体切断工程と、
上記切断光学部材の両切断面に研磨加工し各研磨面に夫々第２の光学膜の成膜することにより第２の積層光学部材を形成する工程と、
複数の上記第２の積層光学部材を上記第２の光学膜同士が対面し、且つ各第１の光学膜同士が整合位置関係となるように積層し本接着して第２の本接着積層構造体を形成する第２の本接着積層工程と、
上記第２の本接着積層構造体の仮接着状態を解消した後、第２の積層光学部材の第１及び第２の光学膜面と直交する切断面にて所定のピッチで切断することにより個々の光学デバイスに分割する工程と、
から成ることを特徴とする光学デバイスの製造方法。 
【請求項３】  互いに交差する２つの対角面に沿って夫々波長分離膜を備えた６面体状の光学デバイスの製造方法において、
平板状の板状透明材の表裏を鏡面研磨した上で各鏡面に反射防止膜を形成することにより矩形の平板状光学部材を製造する工程と、
複数枚の平板状光学部材を各平板状光学部材の端縁を結ぶ平面と平板状光学部材の板面との間の形成角度が４５度の傾斜角度となるように平板状光学部材の面方向位置を順次ずらして階段状に積層し、仮接着剤により仮接着することにより積層体を形成する積層体形成工程と、
上記積層体を、上記４５度の傾斜角度に沿った所定ピッチの複数の平行な切断面にて複数の第１の積層分割体に切断する切断工程と、
上記各第１の積層分割体の切断面を鏡面加工してから各鏡面に夫々第１の波長分離膜を成膜することにより第１の積層光学部材を形成する工程と、
複数の上記第１の積層光学部材を上記第１の波長分離膜同士が対面し、且つ隣接し合う第１の積層光学部材内の仮接着剤面が非平行となるように方向を交互に異ならせて積層して本接着することにより第１の本接着積層構造体を形成する本接着積層工程と、
上記第１の本接着積層構造体をその面方向と直交する切断線に沿って所定のピッチで切断することにより切断光学部材を形成する第１の本接着積層構造体切断工程と、
上記切断光学部材の両切断面に鏡面加工と、第２の波長分離膜の成膜を順次行うことにより第２の積層光学部材を形成する工程と、
複数の上記第２の積層光学部材を上記第２の波長分離膜同士が対面し、且つ各第１の波長分離膜同士が整合位置関係となるように積層し本接着して第２の本接着積層構造体を形成する第２の本接着積層工程と、
上記第２の本接着積層構造体を、各第２の積層光学部材の第１及び第２の波長分離膜面と直交する切断面にて所定のピッチで切断することにより光学デバイス連結体を形成する最終切断工程と、
上記光学デバイス連結体内の仮接着状態を解消して個々の光学デバイスに分割する工程と、
から成ることを特徴とする光学デバイスの製造方法。
【請求項４】  上記第１及び第２の波長分離膜の内の一方がハーフミラーであることを特徴とする請求項３記載の光学デバイスの製造方法。
【請求項５】  上記本接着を行う為の接着剤として、ＵＶ接着剤を用いたことを特徴とする請求項１乃至４記載の光学デバイスの製造方法。
【請求項６】  上記仮接着剤としてパラフィンを用いたことを特徴とする請求項１乃至５記載の光学デバイスの製造方法。
【請求項７】  互いに交差する２つの対角面に沿って夫々光学膜を備えた６面体の光学デバイスであって、一方の対角面に沿って形成された光学膜を６５０ｎｍの光を透過し、波長７８０ｎｍの光の透過を阻止する分光特性を備えた波長分離膜とし、他方の光学膜を波長７８０ｎｍの光を透過し波長６５０ｎｍの光の透過を阻止する分光特性を備えた波長分離膜としたことにより、クロスダイクロイックプリズムとして機能することを特徴とする光学デバイス。
【請求項８】  互いに交差する２つの対角面に沿って夫々光学膜を備えた６面体の光学デバイスであって、一方の対角面に沿って形成された光学膜を６５０ｎｍの光を透過し、波長７８０ｎｍの光の透過を阻止する分光特性を備えた波長分離膜とし、他方の光学膜を波長７８０ｎｍ及び波長６５０ｎｍの光に対する透過率がいずれもほぼ５０％であるハーフミラー膜としたことにより、クロスハーフプリズムとして機能することを特徴とする光学デバイス。
【請求項９】  請求項３において、
上記第１の波長分離膜は青色光を反射し、上記第２の波長分離膜は赤色光を反射することを特徴とする光学デバイスの製造方法。
【手続補正２】
【補正対象書類名】明細書
【補正対象項目名】０００７
【補正方法】変更
【補正の内容】
【０００７】
【課題を解決するための手段】
上記課題を解決する為、請求項１の発明は、互いに交差する２つの対角面に沿って夫々光学膜を備えた６面体状の光学デバイスの製造方法において、複数枚の板状透明材を各板状透明材の端縁を結ぶ平面と板状透明材の板面との間の形成角度が４５度の傾斜角度となるように板状透明材の面方向位置を順次ずらして階段状に積層し、仮接着剤により仮接着することにより積層体を形成する積層体形成工程と、上記積層体を、上記４５度の傾斜角度に沿った所定ピッチの複数の平行な切断面にて複数の第１の積層分割体に切断する切断工程と、上記第１の積層分割体の切断面を研磨加工し各研磨面に夫々第１の光学膜を成膜することにより第１の積層光学部材を形成する工程と、複数の上記第１の積層光学部材を上記第１の光学膜同士が対面し、且つ隣接し合う第１の積層光学部材内の仮接着剤面が非平行となるように方向を交互に異ならせて積層して本接着することにより第１の本接着積層構造体を形成する本接着積層工程と、上記第１の本接着積層構造体をその面方向と直交する切断線に沿って所定のピッチで切断することにより切断光学部材を形成する第１の本接着積層構造体切断工程と、上記切断光学部材の両切断面に研磨加工し各研磨面に夫々第２の光学膜の成膜することにより第２の積層光学部材を形成する工程と、複数の上記第２の積層光学部材を上記第２の光学膜同士が対面し、且つ各第１の光学膜同士が整合位置関係となるように積層し本接着して第２の本接着積層構造体を形成する第２の本接着積層工程と、上記第２の本接着積層構造体を、各第２の積層光学部材の第１及び第２の光学膜面と直交する切断面にて所定のピッチで切断することにより光学デバイス連結体を形成する最終切断工程と、上記光学デバイス連結体内の仮接着状態を解消して個々の光学デバイスに分割する工程と、から成ることを特徴とする。
【手続補正３】
【補正対象書類名】明細書
【補正対象項目名】０００８
【補正方法】変更
【補正の内容】
【０００８】
請求項２の発明は、互いに交差する２つの対角面に沿って夫々光学膜を備えた６面体状の光学デバイスの製造方法において、複数枚の板状透明材を各板状透明材の端縁を結ぶ平面と板状透明材の板面との間の形成角度が４５度の傾斜角度となるように板状透明材の面方向位置を順次ずらして階段状に積層し、仮接着剤により仮接着することにより積層体を形成する積層体形成工程と、上記積層体を、上記４５度の傾斜角度に沿った所定ピッチの複数の平行な切断面にて複数の第１の積層分割体に切断する切断工程と、上記第１の積層分割体の切断面を研磨加工し各研磨面に夫々第１の光学膜を成膜することにより第１の積層光学部材を形成する工程と、複数の上記第１の積層光学部材を上記第１の光学膜同士が対面し、且つ隣接し合う第１の積層光学部材内の仮接着剤面が非平行となるように方向を交互に異ならせて積層して本接着することにより第１の本接着積層構造体を形成する本接着積層工程と、上記第１の本接着積層構造体をその面方向と直交する切断線に沿って所定のピッチで切断することにより切断光学部材を形成する第１の本接着積層構造体切断工程と、上記切断光学部材の両切断面に研磨加工し各研磨面に夫々第２の光学膜の成膜することにより第２の積層光学部材を形成する工程と、複数の上記第２の積層光学部材を上記第２の光学膜同士が対面し、且つ各第１の光学膜同士が整合位置関係となるように積層し本接着して第２の本接着積層構造体を形成する第２の本接着積層工程と、上記第２の本接着積層構造体の仮接着状態を解消した後、第２の積層光学部材の第１及び第２の光学膜面と直交する切断面にて所定のピッチで切断することにより個々の光学デバイスに分割する工程と、から成ることを特徴とする。
【手続補正４】
【補正対象書類名】明細書
【補正対象項目名】０００９
【補正方法】変更
【補正の内容】
【０００９】
請求項３の発明は、互いに交差する２つの対角面に沿って夫々波長分離膜を備えた６面体状の光学デバイスの製造方法において、平板状の板状透明材の表裏を鏡面研磨した上で各鏡面に反射防止膜を形成することにより矩形の平板状光学部材を製造する工程と、複数枚の平板状光学部材を各平板状光学部材の端縁を結ぶ平面と平板状光学部材の板面との間の形成角度が４５度の傾斜角度となるように平板状光学部材の面方向位置を順次ずらして階段状に積層し、仮接着剤により仮接着することにより積層体を形成する積層体形成工程と、上記積層体を、上記４５度の傾斜角度に沿った所定ピッチの複数の平行な切断面にて複数の第１の積層分割体に切断する切断工程と、上記各第１の積層分割体の切断面を鏡面加工してから各鏡面に夫々第１の波長分離膜を成膜することにより第１の積層光学部材を形成する工程と、複数の上記第１の積層光学部材を上記第１の波長分離膜同士が対面し、且つ隣接し合う第１の積層光学部材内の仮接着剤面が非平行となるように方向を交互に異ならせて積層して本接着することにより第１の本接着積層構造体を形成する本接着積層工程と、上記第１の本接着積層構造体をその面方向と直交する切断線に沿って所定のピッチで切断することにより切断光学部材を形成する第１の本接着積層構造体切断工程と、上記切断光学部材の両切断面に鏡面加工と、第２の波長分離膜の成膜を順次行うことにより第２の積層光学部材を形成する工程と、複数の上記第２の積層光学部材を上記第２の波長分離膜同士が対面し、且つ各第１の波長分離膜同士が整合位置関係となるように積層し本接着して第２の本接着積層構造体を形成する第２の本接着積層工程と、上記第２の本接着積層構造体を、各第２の積層光学部材の第１及び第２の波長分離膜面と直交する切断面にて所定のピッチで切断することにより光学デバイス連結体を形成する最終切断工程と、上記光学デバイス連結体内の仮接着状態を解消して個々の光学デバイスに分割する工程と、から成ることを特徴とする。
請求項４の発明は、上記第１及び第２の波長分離膜の内の一方がハーフミラー
であることを特徴とする。
請求項５の発明は、上記本接着を行う為の接着剤として、ＵＶ接着剤を用いたことを特徴とする。
請求項６の発明は、上記仮接着剤としてパラフィンを用いたことを特徴とする。
請求項７の発明は、互いに交差する２つの対角面に沿って夫々光学膜を備えた
６面体の光学デバイスであって、一方の対角面に沿って形成された光学膜を６５０ｎｍの光を透過し、波長７８０ｎｍの光の透過を阻止する分光特性を備えた波長分離膜とし、他方の光学膜を波長７８０ｎｍの光を透過し波長６５０ｎｍの光の透過を阻止する分光特性を備えた波長分離膜としたことにより、クロスダイクロイックプリズムとして機能することを特徴とする。
請求項８の発明は、互いに交差する２つの対角面に沿って夫々光学膜を備えた
６面体の光学デバイスであって、一方の対角面に沿って形成された光学膜を６５０ｎｍの光を透過し、波長７８０ｎｍの光の透過を阻止する分光特性を備えた波長分離膜とし、他方の光学膜を波長７８０ｎｍ及び波長６５０ｎｍの光に対する透過率がいずれもほぼ５０％であるハーフミラー膜としたことにより、クロスハーフプリズムとして機能することを特徴とする。
請求項９の発明は、請求項３において、前記第１の波長分離膜は青色光を反射し、前記第２の波長分離膜は赤色光を反射することを特徴とする。